(57)【要約】【課題】スジ不良および充填ムラを低減することができる光学シートの製造方法を提供する。【解決手段】本発明の一の態様によれば、表面３ａに複数の溝３ｂが並設されたシート本体３を移動させながら、シート本体３の表面３ａに充填材料２１を塗布し、その後掻取部材２３により溝３ｂ内に充填材料２１が残るようにシート本体３の表面３ａ上の余分な充填材料２１を掻き取る工程を備える光学シートの製造方法であって、充填材料２１の塗布が、シート本体３の表面３ａと掻取部材２３の先端２３ａとの間に溜まる充填材料溜まり２５よりも上流の位置から、ダイコート方式によりシート本体３の表面３ａの幅とほぼ同じ幅で充填材料２１を表面３ａに塗布することにより行われることを特徴とする、光学シートの製造方法が提供される。【選択図】図３
2012185446.tif 000002
【特許請求の範囲】
【請求項１】
表面に複数の溝が並設されたシート本体を移動させながら、前記シート本体の前記表面に充填材料を塗布し、その後掻取部材により前記溝内に前記充填材料が残るように前記シート本体の前記表面上の余分な前記充填材料を掻き取る工程を備える光学シートの製造方法であって、
前記充填材料の塗布が、前記シート本体の前記表面と前記掻取部材の先端との間に溜まる充填材料溜まりよりも上流の位置から、ダイコート方式により前記シート本体の前記表面の幅とほぼ同じ幅で前記充填材料を前記表面に塗布することにより行われることを特徴とする、光学シートの製造方法。
【請求項２】
前記充填材料の塗布が、前記充填材料を塗布するためのスリットを有するダイヘッドを用いて行われる、請求項１に記載の光学シートの製造方法。
【請求項３】
前記充填材料の掻き取りが、ドクターブレードを用いて行われる、請求項１または２に記載の光学シートの製造方法。
【請求項４】
前記シート本体が光透過性シートであり、かつ前記充填材料が透明樹脂および前記透明樹脂中に分散された光吸収材を含む、請求項１ないし３のいずれか１項に記載の光学シートの製造方法。
【請求項５】
前記溝の形状が、略台形状、略Ｖ字状、または略矩形状である、請求項１ないし４のいずれか１項に記載の光学シートの製造方法。
【発明の詳細な説明】
【技術分野】
【０００１】
本発明は、光学シートの製造方法に関する。
【背景技術】
【０００２】
近年、薄型かつ大型のディスプレイの普及に伴い、家庭用テレビや業務用ディスプレイ装置など、使用される用途も多様化し、ディスプレイの画質についても高いレベルが要求されつつある。
【０００３】
これらに使用される光学シートについても、透過率やコントラストを向上させる機能、または視野角を制御する機能等が要求されている。このようなことから、例えば、コントラストを向上させ、かつ視野角を制御するために光吸収部を有する光学シートを形成する場合がある。
【０００４】
このような光吸収部を有する光学シートは、例えば、光透過性シートの表面に溝を設け、その溝に光吸収材を含む充填材料を充填し、その後充填材料を硬化させることにより形成することができる。
【０００５】
充填材料の充填は、例えば、ドクターブレードを固定した状態で、光透過性シートを移動させながら、ドクターブレードの上流側先端付近に充填材料をノズルにより供給して、シート本体とドクターブレードとの間に充填材料溜まりを形成しつつ、ドクターブレードで余分な充填材料を掻き取ることにより行うことができる。
【０００６】
しかしながら、このような方法により、充填材料を充填すると、スジ不良および充填ムラ等が発生することがある。光学シートの外観品質は、画質に直接結び付くため、高い品質が要求される。このため、上記したようなスジ不良や充填ムラを極力低減することが好ましい。特に、充填材料に粒子を含ませると、これらの不良が発生しやすい。
【０００７】
ここで、スジ不良を改善するために、掻取部材を揺動させながら充填材料を掻き取る技術が開示されている（例えば、特許文献１参照）。この技術によれば、掻取部材を揺動させることにより、掻き取り時に掻取部材に噛んだ異物が、掻取部材の移動に伴い溝壁に当たり、掻取部材から異物が除去される。
【０００８】
しかしながら、掻取部材を揺動させた場合であっても、スジ不良が発生することがある。
【先行技術文献】
【特許文献】
【０００９】
【特許文献１】特開２００９−１２８６４５号公報
【発明の概要】
【発明が解決しようとする課題】
【００１０】
本発明は、上記課題を解決するためになされたものである。すなわち、スジ不良および充填ムラを低減することができる光学シートの製造方法を提供することを目的とする。
【課題を解決するための手段】
【００１１】
本発明者らは、スジ不良および充填ムラを低減するため鋭意研究を重ねた結果、シート本体の溝内における充填材料の充填率を高め、かつシート本体の幅とほぼ同じ幅で充填材料を均一に塗布した場合には、スジ不良および充填ムラが低減することを見出した。本発明は、かかる知見に基づいて完成されたものである。
【００１２】
ここで、上記「スジ不良」とは、図６（ａ）に示されるように溝に充填されている硬化後の充填材料１００が一部において凹んでいる、または図６（ｂ）に示されるように一部の溝に充填されている硬化後の充填材料１０１が他の溝に充填されている硬化後の充填材料１０２よりも凹みが大きく、そして凹みが線状になっているものを意味する。
【００１３】
本発明の一の態様によれば、表面に複数の溝が並設されたシート本体を移動させながら、前記シート本体の前記表面に充填材料を塗布し、その後掻取部材により前記溝内に前記充填材料が残るように前記シート本体の前記表面上の余分な前記充填材料を掻き取る工程を備える光学シートの製造方法であって、前記充填材料の塗布が、前記シート本体の前記表面と前記掻取部材の先端との間に溜まる充填材料溜まりよりも上流の位置から、ダイコート方式により前記シート本体の前記表面の幅とほぼ同じ幅で前記充填材料を前記表面に塗布することにより行われることを特徴とする、光学シートの製造方法が提供される。
【発明の効果】
【００１４】
本発明の一の態様の光学シートの製造方法によれば、シート本体の溝内における充填材料の充填率を高めることができ、かつシート本体の幅とほぼ同じ幅で充填材料を均一に塗布することができるので、スジ不良および充填ムラを低減することができる。
【図面の簡単な説明】
【００１５】
【図１】実施の形態に係る光透過部の形成工程を模式的に示した図である。
【図２】実施の形態に係る光吸収部の形成工程を模式的に示した図である。
【図３】実施の形態に係る充填工程を模式的に示した図である。
【図４】実施の形態に係る光学シートの製造方法におけるシートの断面図である。
【図５】実施の形態に係る粘着層および剥離層を有する基材シートを示した図である。
【図６】スジ不良を模式的に示した図である。
【発明を実施するための形態】
【００１６】
以下、図面を参照して、本発明の実施の形態を説明する。本実施の形態においては、光学シートを作製するが、この光学シートは例えば表示装置のディスプレイに用いることができる。
【００１７】
表示装置のディスプレイとしては、例えばプラズマディスプレイ、液晶ディスプレイ、有機ELディスプレイ、電界放出ディスプレイ（FED）、表面伝導型電子放出素子ディスプレイ（SED）、プロジェクションテレビ等が挙げられる。
【００１８】
図１は本実施の形態に係る光透過部の形成工程を模式的に示した図であり、図２は本実施の形態に係る光吸収部の形成工程を模式的に示した図であり、図３は本実施の形態に係る充填工程を模式的に示した図であり、図４は本実施の形態に係る光学シートの製造方法におけるシートの断面図である。
【００１９】
まず、図１に示されるように所定ピッチで後述する光透過部２の形に対応した形の溝を有する金型１０と、ニップロール１１との間に基材シート１を送り込む。図１に示した矢印は、基材シート１を送り込む方向である。基材シート１の送り込みに合わせて、金型１０と基材シート１との間に供給装置１２から例えば電離放射線硬化型樹脂等の光透過部形成用組成物１３の液滴を供給し続ける。供給装置１２から基材シート１上に光透過部形成用組成物１３を供給するとき、金型１０と基材シート１との間に、光透過部形成用組成物１３が溜まった組成物溜まり１４が形成されるようにする。この組成物溜まり１４を形成することによって、光透過部形成用組成物１３が基材シート１の幅方向に広がる。
【００２０】
上記のようにして金型１０と基材シート１との間に供給された光透過部形成用組成物１３は、金型１０とニップロール１１との間の押圧力により、基材シート１と金型１０との間に充填される。その後、光照射装置１５によって光透過部形成用組成物１３に光を照射し、光透過部形成用組成物１３を硬化させて、光透過部２を形成する。光透過部２を形成した後、基材シート１上に光透過部２が形成されたシート本体３は、剥離ロール１６を介して引かれることによって、金型１０から引き剥がされる。
【００２１】
基材シート１は、基材シート１上に光透過部２を形成するためのベースとなるものである。基材シート１としては、透明樹脂フィルム、透明樹脂板、透明樹脂シートや透明ガラスを用いることができる。透明樹脂フィルムとしては、トリアセテートセルロース（TAC）フィルム、ポリエチレンテレフタレート（PET）等のポリエステル系フィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルロニトリルフィルム等を好適に使用できるが、これらの中でも、ポリエステル系フィルムが好ましく用いられる。ポリエステル系フィルムとしては、ポリエチレンテレフタレートの他、ポリブチレンテレフタレート、ポリナフタレンテレフタレート、ポリトリメチレンテレフタレート等が挙げられる。さらに、ポリエステル系フィルムの中でも、性能に加え、量産性、価格、入手可能性等の観点からポリエチレンテレフタレートが好ましい。
【００２２】
金型１０に送り込まれる基材シート１は、図５に示されるように粘着層６および剥離層７を備えていてもよい。粘着層６は、光学シートを表示装置のディスプレイに接着させるためのものである。粘着層６に用いられる粘着剤は光を透過するとともに、適切に光学シートを他に接着させることができれば、その材料は特に限定されるものではない。粘着剤としては、例えばアクリル系の共重合体を挙げることができる。
【００２３】
剥離層７は、取扱時に粘着層６が他に接触しないようにするためのものであり、粘着層６上に形成されている。剥離層７としては、特に限定されるものではないが、例えばポリエチレンテレフタレート（PET）樹脂等が挙げられる。
【００２４】
上記「シート本体」とは、本実施の形態のように基材シート１と光透過部２が別体のものである場合には少なくともこれらを合わせたものを意味する。本実施の形態のシート本体３は、光透過性のものである。
【００２５】
シート本体３の表面３ａには、図４（ａ）に示されるように単位光透過部２ａ間に金型の形状に対応する溝３ｂが形成されている。本実施の形態では、溝３ｂは図４（ａ）に示されるように略台形状となっている。溝３ｂは基材シート１側に向けて先細るように形成されており、基材シート１の長手方向に沿って延在している。溝３ｂの形状は、略台形状に限られず、例えば、略Ｖ字状または略矩形状に形成されていてもよい。具体的には、シート本体３は、シート本体３の表面３ａにおける幅が２００〜２０００ｍｍであるものを用いることができる。また、単位光透過部２ａは、単位光透過部２ａの上部の幅が１０〜１００μｍであるものであってもよい。溝３ｂは、例えば、溝３ｂの上部の幅が５〜５０μｍであり、溝３ｂの深さが５０〜２００μｍであり、溝３ｂの側壁が溝３ｂの底面の法線方向に対して０〜１０°の角度をなすものであってもよい。
【００２６】
なお、上記においては、金型および紫外線照射を用いてシート本体３を形成しているが、押出成形や熱プレス成形などによって、シート本体３を形成してもよい。
【００２７】
シート本体３を形成した後、充填装置２０を用いて、図２および図３に示されるように溝３ｂに充填材料２１を充填する。
【００２８】
まず、充填装置２０について説明する。充填装置２０は、図２および図３に示されるように、シート本体３の表面３ａに充填材料２１を塗布するダイヘッド２２と、溝３ｂ内に充填材料２１が残るように、またシート本体３の表面３ａに存在する余分な充填材料２１を掻き取る掻取部材２３と、ダイヘッド２２および掻取部材２３に対して、シート本体３を相対的に移動させる搬送手段（搬送装置）２４とを備えている。
【００２９】
ダイヘッド２２は、シート本体３の表面３ａの幅Ｗとほぼ同じ長さＬのスリット２２ａを有している。ダイヘッド２２は、シート本体３の表面３ａと掻取部材２３の先端２３ａとの間に溜まる充填材料溜まり２５よりも上流に配置されている。
【００３０】
掻取部材２３は、溝３ｂと直交するように配置され、かつ先端２３ａをシート本体３の表面３ａに押し当てた状態で使用される。
【００３１】
掻取部材２３としては、例えばドクターブレードが挙げられる。また、掻取部材２３は、揺動可能であることが好ましい。掻き取り時に掻取部材２３を揺動させることにより掻取部材２３に噛んだ異物を掻取部材２３から除去することができる。
【００３２】
次に、充填装置２０によって、充填される充填材料２１について説明する。充填材料２１としては、溝３ｂ内に充填させることができる材料であれば、特に限定されないが、本実施の形態のように光学シートの光吸収部を形成する場合であっては、例えば、充填材料２１は、透明な電離放射線樹脂組成物と光吸収材とを含むものであることが好ましい。
【００３３】
電離放射線硬化型樹脂組成物としては、従来公知の視認性向上シートや視野角向上シート等に用いられる電離放射線硬化型樹脂組成物を用いることができる。例えば、アクリレート系の官能基を有するものを好適に使用することができ、具体的には、比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマーを挙げることができる。
【００３４】
また、上記樹脂組成物中には、反応性希釈剤を添加してもよく、このような反応性希釈剤としては、エチル（メタ）アクリレート、エチルヘキシル（メタ）アクリレート、スチレン、メチルスチレン、Ｎ−ビニルピロリドン等の単官能モノマー並びに多官能モノマーを使用してもよく、具体的は、リメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等が挙げられる。
【００３５】
電離放射線硬化型樹脂組成物を紫外線硬化型樹脂組成物とするには、組成物中に光重合開始剤としてアセトフェノン類、ベンゾフェノン類、ミヒラーベンゾイルベンゾエート、α−アミロキシムエステル、テトラメチルチュウラムモノサルファイド、チオキサントン類や、光増感剤としてｎ−ブチルアミン、トリエチルアミン、ポリ−ｎ−ブチルホソフィン等を混合して用いることができる。特に本発明では、オリゴマーとしてウレタンアクリレート、モノマーとしてジペンタエリスリトールヘキサ（メタ）アクリレート等を混合するのが好ましい。
【００３６】
光吸収材としては、映像光の特性に合わせて特定の波長を選択的に吸収できる着色剤や樹脂ビーズやガラスビーズを着色剤で着色した光吸収粒子が挙げられる。着色剤としては、カーボンブラック、グラファイト、繊維状炭素、黒色酸化鉄等の金属塩、染料や顔料を含むインキ等が挙げられる。
【００３７】
顔料としては、赤外光を透過することが可能な、ペリレンブラック顔料、アニリンブラック顔料、フォーマット墨（イエロー、マゼンダ、シアン顔料の混合顔料）、フタロシアニンブルー、ブリリアントカーミン６Ｂ等が好ましい。
【００３８】
光吸収粒子は、樹脂ビーズやガラスビーズに着色剤を練り込んだものであってもよい。着色剤の練り込み易さの観点からは、樹脂ビーズを用いることが好ましい。樹脂ビーズとしては、メラミンビーズ、アクリルビーズ、アクリル−スチレンビーズ、ポリカーボネートビーズ、ポリエチレンビーズ、ポリスチレンビーズ、塩ビビーズ等を好適に使用することができる。また、ウレタン架橋微粒子やシリコン系ビーズも好適に使用できる。これらの樹脂ビーズは、上記した電離放射線硬化型樹脂組成物の屈折率差が０．１程度のものを用いることが好ましい。また、着色剤を練り込む前の樹脂としては、透明な樹脂でも使用できるが、顔料または染料等で着色された樹脂を用いることが好ましく、映像光の特性に合わせて特定の波長を選択的に吸収するものであってよいが、好ましくは黒色に着色された樹脂ビーズが用いられる。
【００３９】
光吸収粒子に用いられる着色剤としては、上記したもののなかでもカーボンブラックが好適に使用できる。樹脂ビーズへのカーボンブラックの練り込み量は、樹脂ビーズ１質量部に対してカーボンブラックを０．１〜０．７質量部程度であり、好ましくは０．１５〜０．５質量部、より好ましくは０．２〜０．３５質量部である。カーボンブラックの練り込み量が０．７質量部よりも多いと樹脂ビーズが割れやすくなる場合があり、一方、０．１質量部よりも少ないと、所望の黒色性を有する光吸収粒子を得られない場合がある。また、カーボンブラックは、平均粒子径が１０〜５００ｎｍのものを好適に使用することができ、例えば、ファーネスブラック、アセチレンブラック、チャンネルブラック、サーマルブラック、カーボンナノチューブ、カーボンファイバー等が使用できる。また、市販のものを使用することもでき、例えば、ＨＣＦシリーズ、ＭＣＦシリーズ、ＲＣＦシリーズ、ＬＦＦシリーズ（いずれも三菱化学株式会社製）、バルカンシリーズ（キャボット社製）、ケッチェンシリーズ（ライオン株式会社製）を好適に使用することができる。なお、ここでの平均粒子径とは、カーボンブラック粒子を電子顕微鏡で観察して求めた算術平均径を意味する。
【００４０】
電離放射線硬化型樹脂組成物への光吸収材の分散性を向上させるために、光吸収粒子を表面処理しておくこともできる。表面処理としては、従来公知のシリカコーティングによる親水処理や、プラズマ等による表面改質が挙げられる。
【００４１】
上記した各成分を含む充填材料２１は、電離放射線硬化型樹脂組成物に、所定量の光吸収材を混合し、所望により重合開始剤等を添加することにより調製することが可能である。光吸収材の添加量は、充填材料２１の全質量に対して１５〜３５％の範囲とすることが好ましく、この範囲とすることにより、よりコントラストに優れる光学シートを実現することができる。光吸収材の含有量が少なすぎると、光吸収部の光遮光性が不十分となる場合があり、光吸収材の含有量が多すぎると、樹脂ビーズ同士が接触し割れや欠けの問題が発生し易くなる。
【００４２】
充填材料２１は、２５℃での粘度が１０００〜５０００ｍＰａ・ｓであることが好ましく、２０００〜３０００ｍＰａ・ｓであることがより好ましい。充填材料２１の粘度を上記範囲としたのは、１０００ｍＰａ・ｓ未満であると、ダイヘッド２２内の圧力が上昇せずに幅方向の均一な吐出が難しい場合があるからであり、また５０００ｍＰａ・ｓを超えると、ダイヘッド２２内の圧力は上昇するが、シート本体３に対する吐出圧は低くなり、充填率の低下を引き起こすおそれがあるからである。
【００４３】
このような充填装置２０および充填材料２１を使用して、シート本体３の溝３ｂに充填材料２１を充填させる。具体的には、ダイヘッド２２および掻取部材２３に対して、搬送手段２４によりシート本体３を移動させながら、シート本体３の表面３ａにダイヘッド２２のスリット２２ａから充填材料２１を塗布し、その後掻取部材２３により溝３ｂ内に充填材料２１が残るようにシート本体３の表面３ａに存在する余分な充填材料２１を掻き取る。なお、シート本体３を固定した状態で、ダイヘッド２２および掻取部材２３を移動させながら充填材料２１の充填を行ってもよい。
【００４４】
充填材料２１の掻き取りを行うと、シート本体３の表面３ａと掻取部材２３の先端２３ａとの間には充填材料２１の溜まり（充填材料溜まり）２５が形成される。ダイヘッド２２は、この充填材料溜まり２５よりも上流に配置されているので、充填材料２１は、この充填材料溜まり２５よりも上流から塗布されることとなる。
【００４５】
また、ダイヘッド２２のスリット２２ａはシート本体３の表面３ａの幅Ｗとほぼ同じ長さＬとなっているので、充填材料２１はシート本体３の表面３ａの幅Ｗとほぼ同じ幅で塗布されることとなる。
【００４６】
その後、例えば、紫外線ランプ等の電離放射線照射装置２６により電離放射線を照射して、充填材料２１を硬化させる。これにより、図４（ｂ）に示されるようにシート本体３の溝３ｂに溝３ｂの形状と対応した形状を有する光吸収部４が形成され、光学シート５が形成される。
【００４７】
本実施の形態の光学シート５の製造方法によれば、スジ不良および充填ムラを低減することができるが、これは次のような理由からである。
【００４８】
スジ不良は、溝の上部に存在する気泡が掻取部材に引っ掛かり、この状態でシート本体が移動するために発生するものと考えられる。この気泡は溝内に存在する空気あるいは充填材料溜まりに含まれる空気が原因で発生するものと考えられる。特に、高速で充填材料の掻き取りを行う場合、気泡が発生し易い。
【００４９】
本実施の形態においては、ダイヘッド２２で吐出することで圧力を加えて充填材料２１を押し出すため、溝３ｂ内の空気を確実に充填材料２１と置換することができ、溝３ｂ内の空気を確実に排出することができる。これにより、溝３ｂ内における充填材料２１の充填率が高くなり、スジ不良を低減することができる。
【００５０】
一方、充填ムラは、シート本体の表面に対して充填材料を部分的に塗布することにより発生すると考えられる。すなわち、充填材料を１箇所から塗布した場合、塗布口付近における充填材料は、その他の部分における充填材料に比べて厚さが厚くなり、また充填材料を複数箇所から塗布した場合、このことに加えて、塗布口から塗布された充填材料が、隣り合う塗布口から塗布された充填材料と合流し、その合流部がその他の部分における充填材料に比べて厚さが厚くなる。このようにシート本体の表面に対して充填材料を部分的に塗布した場合には、充填材料の厚さが部分的に異なり、充填ムラが発生すると考えられる。
【００５１】
本実施の形態においては、シート本体３の表面３ａにダイコート方式によりシート本体３の表面３ａの幅Ｗとほぼ同じ幅で充填材料を塗布しているので、シート本体３の表面３ａ全体に均一に充填材料２１を塗布することができる。これにより、充填ムラを低減することができる。
【実施例】
【００５２】
以下、実施例を示し、本発明を具体的に説明する。本実施例においては、上記実施の形態と同様の方法で光学シートを作製し、光学シートの外観観察を行うとともに、充填材料の充填率を測定した。
【００５３】
（実施例）
まず、厚さ１００μｍのポリエチレンテレフタレート樹脂からなる基材シート上に透明な紫外線硬化型樹脂を塗布し、周面に略台形状の溝および略台形状の突部が形成された金型に、紫外線硬化型樹脂が金型に接触するように基材シートを押し当てた。
【００５４】
そして、基材シート側からロールを押し当てて、所望の厚みにした後、基材シート越しに紫外線を照射して、紫外線硬化型樹脂を硬化させた。その後、金型から硬化した紫外線硬化型樹脂を剥がし、複数の単位光透過部を有する光透過部を形成した。
【００５５】
単位光透過部は略台形状となっており、単位光透過部間には断面形状が略台形状の溝が形成されていた。この溝は基材シートの流れ方向に延在しており、この溝は、溝の深さが１２０μｍ、溝の上部の幅が２０μｍ、基材シートの法線と溝の斜面との成す角度が３°、溝の繰り返し単位の長さが８５μｍとなっていた。
【００５６】
次いで、光透過部の表面から６０°傾いたドクターブレードを溝と直交するように配置し、かつドクターブレードの刃先を光透過部の表面に押し当てた状態で、ライン速度５．０ｍ／分で基材シートと光透過部とを有するシート本体を流し、かつドクターブレードの３００ｍｍ上流から２５℃での粘度が３５００ｍＰａ・ｓの、黒インキ（光吸収材）と紫外線硬化型樹脂とを含む充填材料を基材シートの幅と同じ長さのスリットを有するダイヘッドを用いてダイコート方式により光透過部の表面に塗布した。
【００５７】
ドクターブレードの３００ｍｍ上流は、充填材料溜まりが形成される位置よりも上流の位置であった。
【００５８】
塗布された充填材料は、単位光透過部間の溝に充填された。そして、単位光透過部上に存在する余分な充填材料はドクターブレードにより掻き取られた。
【００５９】
ドクターブレードは、金属製であり、ドクターブレードの刃先部がドクターブレードの基部に比べて薄くなるように片側の面に段付け加工が施されたものであった。刃先部の厚さは０．０７ｍｍであり、基部の厚さは０．２ｍｍであった。また、刃先は０．０３５ｍｍの曲率半径を有していた。なお、ドクターブレードは、段付け加工が施された面が下流側となるように配置された。用いたドクターブレードの枚数は、１枚であった。
【００６０】
余分な充填材料を掻き取った後、紫外線を照射し、溝内の、充填材料に含まれる紫外線硬化型樹脂を硬化させて、実施例の光学シートを作製した。
【００６１】
（比較例１）
比較例１においては、黒インキと紫外線硬化型樹脂とを含む充填材料を、ドクターブレードの直近かつシートの中央部に配置された内径が１０ｍｍの１本のノズルから塗布した以外、実施例と同様の方法で光学シートを作製した。
【００６２】
（比較例２）
比較例２においては、黒インキと紫外線硬化型樹脂とを含む充填材料を、シートの幅方向に四等分する位置に配置された内径が１０ｍｍの３本のノズルから塗布した以外、実施例と同様の方法で光学シートを作製した。
【００６３】
外観観察
このようにして作製された実施例および比較例１、２の光学シートの外観を観察したところ、比較例１の光学シートには多数のスジ不良が観察され、比較例２の光学シートには帯状の充填ムラおよび塗布された充填材料の合流部にスジ状の充填ムラが観察された。これに対し、実施例の光学シートの外観は、スジ不良および充填ムラが少なく、良好な状態であった。
【００６４】
充填率測定
また、実施例および比較例１、２の光学シートの充填材料の充填率を測定した。充填率は、作成した光学シートの断面を顕微鏡で観察し、溝の断面積と、そこに充填されている材料の断面積の比から計算した。比較例１の光学シートにおける充填率は９２％であり、比較例２の光学シートにおける充填率は９０〜９５％であった。これに対し、実施例の光学シートにおける充填率は、９８％であった。
【００６５】
これらの実験結果から、充填材料溜まりが形成される位置よりも上流の位置から充填材料を塗布した場合には、充填率が高くなるとともにスジ不良が低減できることが確認された。また、充填材料を、基材シートの幅と同じ長さのスリットを有するダイヘッドを用いてダイコート方式により塗布した場合には、充填ムラが低減できることが確認された。
【符号の説明】
【００６６】
１…基材シート、２…光透過部、２ａ…単位光透過部、３…シート本体、３ａ…表面、３ｂ…溝、４…光吸収部、２１…充填材料、２２…ダイヘッド、２２ａ…スリット、２３…掻取部材、２３ａ…先端、２５…充填材料溜まり。
【図１】
2012185446.tif 000003
【図２】
2012185446.tif 000004
【図３】
2012185446.tif 000005
【図４】
2012185446.tif 000006
【図５】
2012185446.tif 000007
【図６】
2012185446.tif 000008